(57)【特許請求の範囲】
【請求項１】
集合玄関（３９）の解錠、施錠を行なう集合玄関電気錠（３７）と、前記集合玄関電気錠に接続され操作部（３３）、表示部（３４）、警告音発生部（３５）を設けた集合玄関機（３０）と、管理室（２５）に設置され操作部（２３）、表示部（２４）を設けた管理室親機（２０）と、各居室（４７ａ、４７ｂ、４７ｃ…）に設置され居室番号を有する複数の居室親機（４０ａ、４０ｂ、４０ｃ…）と、前記集合玄関機、前記管理室親機、前記居室親機との音声信号、制御信号を制御する制御機（１０）とから構成される集合住宅インターホン装置であって、前記集合玄関機は、前記集合玄関電気錠を緊急解錠する緊急解錠スイッチ（３８）からの緊急解錠操作情報を受信する集合玄関機電気錠インターフェイス回路（３６）を備え、前記制御機は、前記緊急解錠スイッチが押されたとき、前記集合玄関機の前記表示部に緊急解錠のメッセージを表示させ、前記集合玄関機の前記警告音発生部から予め設定された一定時間、警告音を鳴動させ、かつ前記集合玄関機電気錠インターフェイス回路を介して前記集合玄関電気錠を緊急解錠させる制御部（１１）を備えたことを特徴とする集合住宅インターホン装置。
【請求項２】
前記制御機は、前記緊急解錠スイッチが押されたとき、前記管理室親機の前記表示部に緊急解錠のメッセージを表示することを特徴とする請求項１記載の集合住宅インターホン装置。
【発明の詳細な説明】
【０００１】
【発明の属する利用分野】
本発明は集合住宅インターホン装置に係わり、従来は別機器で構成されていた緊急解錠ボタン装置の機能を集合玄関機の機能として取り込むことによりコストダウンをはかることができる集合住宅インターホン装置に関するものである。
【０００２】
【従来の技術】
従来から、図２に示すような集合住宅インターホン装置が知られている。図２に示すように、集合玄関機７０は幹線７、複数の居室親機８０ａ、８０ｂ、８０ｃ…は幹線８、管理室親機６０は幹線６を介して制御機５０に接続されている。また、集合玄関７５には電気錠９５と緊急解錠ボタン装置９０が設置されている。
【０００３】
制御機５０は、幹線８を介し複数の居室親機８０ａ、８０ｂ、８０ｃ…との信号を送受する制御機居室幹線通信回路５２ａと、幹線７を介し集合玄関機７０との信号を送受する制御機集合玄関機幹線通信回路５２ｂと、幹線６を介し管理室親機６０との信号を送受する制御機管理室親機幹線通信回路５２ｃと、これら通信回路からの信号を演算処理する制御部５１を備えている。
【０００４】
集合玄関機７０は、幹線７を介して制御機５０と信号を送受する集合玄関機通信回路７２と、集合玄関機通信回路７２に接続され制御機５０から送られた信号を演算処理する集合玄関機制御部７１と、呼出するための居室番号を入力操作する操作部７３と、各種メッセージを表示する表示部７４とを備えている。
【０００５】
緊急解錠ボタン装置９０は、緊急解錠時に押す緊急解錠スイッチ９２と、緊急解錠スイッチ９２が押された事を検出する制御部９１と、緊急解錠時に警告音を鳴動させる緊急解錠警告音発生部９３を備えており、電気錠９５に接続されている。
【０００６】
このような従来の集合住宅インターホン装置では、制御機５０が幹線６、７、８を介して管理室親機６０、集合玄関機７０、居室親機８０ａ、８０ｂ、８０ｃ…とデータ通信を行なって各機能を制御し、集合玄関機７０と居室親機８０ａ、８０ｂ、８０ｃ…と管理室親機６０での操作により、呼出・通話・解錠および宅配情報・警報情報を知らせる等の機能がある。
【０００７】
緊急解錠時に緊急解錠ボタン装置９０のスイッチ９２が押されると、制御部９１が検出し、制御部９１は緊急解錠警告音発生部９３から警告音を鳴動させるとともに、電気錠９５を解錠させる。
【０００８】
【発明が解決しようとする課題】
しかしながら、従来の集合住宅インターホン装置では、緊急解錠ボタン装置を備える事により緊急解錠機能を果たす事ができるが、この場合、集合住宅インターホン装置に高価な緊急解錠ボタン装置を備える必要がある。
【０００９】
本発明はこのような難点を解決するために、緊急解錠ボタンの機能を集合玄関機の機能にとりこみ安価な集合住宅インターホン装置を提供することを目的としている。
【００１０】
【課題を解決するための手段】
このような目的を達成するため、本発明による集合住宅インターホン装置は、集合玄関の解錠、施錠を行なう集合玄関電気錠と、集合玄関電気錠に接続され操作部、表示部、警告音発生部を設けた集合玄関機と、管理室に設置され操作部、表示部を設けた管理室親機と、各居室に設置され居室番号を有する複数の居室親機と、集合玄関機、管理室親機、居室親機との音声信号、制御信号を制御する制御機とから構成される集合住宅インターホン装置であって、集合玄関機は、集合玄関電気錠を緊急解錠する緊急解錠スイッチからの緊急解錠操作情報を受信する集合玄関機電気錠インターフェイス回路を備え、制御機は、緊急解錠スイッチが押されたとき、集合玄関機の表示部に緊急解錠のメッセージを表示させ、集合玄関機の警告音発生部から警告音を鳴動させ、かつ集合玄関機電気錠インターフェイス回路を介して集合玄関電気錠を緊急解錠させる制御部を備えたことを特徴とするものである。また、制御機は、緊急解錠スイッチが押されたとき、管理室親機の表示部に緊急解錠のメッセージを表示することを特徴とするものである。
【００１１】
このような集合住宅インターホン装置によれば、集合玄関電気錠を緊急解錠する緊急解錠スイッチを操作することにより集合玄関機の表示部に緊急解錠のメッセージを表示し、集合玄関機の警告音発生部から警告音を鳴動するので緊急解錠を確認することができる。
【００１２】
【発明の実施の形態】
以下、本発明による集合住宅インターホン装置の実施の形態例を図１に基づいて説明する。
【００１３】
図１に示すように、本発明による集合住宅インターホン装置において、制御機１０は幹線２、３、４を介して管理室親機２０、集合玄関機３０、複数の居室親機４０ａ、４０ｂ、４０ｃ…にそれぞれ接続されている。また、集合玄関機３０は集合玄関３９に設置され集合玄関の解錠、施錠を行なう電気錠３７と接続されている。
【００１４】
制御機１０は、集合玄関機３０との信号を送受する幹線３に接続された制御機集合玄関機幹線通信回路１２ｂと、居室親機４０ａ、４０ｂ、４０ｃ…との信号を送受する幹線４に接続された制御機居室幹線通信回路１２ａと、管理室親機２０との信号を送受する幹線２に接続された制御機管理室親機幹線通信回路１２ｃと、これらの制御機通信回路１２ａ、１２ｂ、１２ｃからの信号を演算処理し各々の状態にあった処理をする制御機制御部１１が備えられている。制御機制御部１１には、制御機集合玄関機幹線通信回路１２ｂからの個別情報（施錠情報等）を検出する情報検出部１３と、検出した緊急解錠操作情報から、緊急解錠表示情報を出力する緊急解錠表示制御部１４と、緊急解錠表示の手段を制御機通信回路１２に出力する緊急解錠表示手段１６と、警告音鳴動時間タイマをもつ警告音鳴動時間制御部１５を有する。
【００１５】
集合玄関機３０は、幹線３に接続され制御機１０と信号を送受するための集合玄関機通信回路３２と、集合玄関機通信回路３２に接続され信号を処理する集合玄関機制御部３１と、電気錠３７と緊急解錠スイッチ３８と集合玄関機制御部３１に接続され解錠信号を送出する集合玄関機電気錠インターフェース回路３６と、集合玄関機制御部３１に接続され警告音を鳴動させる集合玄関機警告音発生部３５と、集合玄関機制御部３１に接続され個別情報等を表示する集合玄関機表示部３４と、集合玄関機制御部３１に接続され呼出等を操作する集合玄関機操作部３３とが備えられている。
【００１６】
管理室親機２０は、幹線２に接続され制御機１０と信号を送受するための管理室親機通信回路２２と、管理室親機通信回路２２に接続され信号を処理する管理室親機制御部２１と、管理室親機制御部２１に接続され緊急解錠表示をする管理室親機表示部２４と、管理室親機制御部２１に接続され呼出等を操作する管理室親機操作部２３とが備えられている。
【００１７】
このように構成された本発明による集合住宅インターホン装置において、以下図１を用いてその動作について説明する。
【００１８】
緊急解錠操作により緊急解錠スイッチ３８が押されると、緊急解錠スイッチ３８から集合玄関機３０の集合玄関機電気錠インターフェース回路３６を介して集合玄関機制御部３１に緊急解錠操作情報が送出される。この緊急解錠操作情報を検出した集合玄関機制御部３１は集合玄関機通信回路３２、幹線３を介して制御機１０の制御機集合玄関機幹線通信回路１２ｂに緊急解錠操作情報を送出する。制御機集合玄関機幹線通信回路１２ｂで受信された緊急解錠操作情報は、制御機制御部１１の情報検出部１３を介して緊急解錠表示制御部１４の制御により緊急解錠表示手段１６に緊急解錠表示命令を出力する。緊急解錠表示命令より緊急解錠表示手段１６から制御機集合玄関機幹線通信回路１２ｂ、制御機管理室親機幹線通信回路１２ｃに緊急解錠表示情報が出力される。制御機集合玄関機幹線通信回路１２ｂからの緊急解錠表示情報は幹線３を介して集合玄関機３０の集合玄関機通信回路３２に送出される。ここで受信された緊急解錠表示情報は集合玄関機制御部３１にて処理され、集合玄関機表示部３４に緊急解錠表示をすると共に、集合玄関機警告音発生部３５で警告音を鳴動させ、集合玄関機電気錠インターフェース回路３６を通して電気錠３７に対し解錠信号が送出されることにより電気錠３７が解錠される。制御機管理室親機幹線通信回路１２ｃからの緊急解錠表示情報は幹線２を介して管理室親機２０の管理室親機通信回路２２に送出される。ここで受信された緊急解錠表示信号は管理室親機制御部２１にて処理され、管理室親機表示部２４に緊急解錠表示をする。
【００１９】
緊急解錠スイッチが施錠操作された場合も、同様の経路を通り緊急解錠表示を終了させる。
【００２０】
また、長時間スイッチが押され続けた場合に警告音が鳴動しつづけ周囲への騒音として迷惑となる事を考慮し一定時間鳴動させる機能を事前の設定により持つ。警告音鳴動時間制御部１５に時間設定がされている場合は緊急解錠表示制御部１４が緊急解錠表示命令を緊急解錠表示手段１６に出力すると共に警告音鳴動時間制御部１５に鳴動時間開始情報を出力する。警告音鳴動時間制御部１５は設定された時間により緊急解錠表示制御部１４に鳴動時間終了情報を出力する。鳴動時間終了情報を受信した緊急解錠表示制御部１４は緊急解錠警告音鳴動終了信号を制御機集合玄関機幹線通信回路１２ｂに送出し緊急解錠表示情報と同様の経路を介して集合玄関機警告音発生部３５での警告音を止める。
【００２１】
【発明の効果】
以上の説明から明らかなように本発明による集合住宅インターホン装置によれば、高価な緊急解錠ボタン装置を備える事なく、安価な集合住宅インターホン装置を提供することが出来る。
【図面の簡単な説明】
【図１】本発明の集合住宅インターホン装置の一実施例を示すブロック図。
【図２】従来の集合住宅インターホン装置を示すブロック図。
【符号の説明】
１０    …制御機
１１    …制御機制御部
２０    …管理室親機
２３    …管理室親機操作部
２４    …管理室親機表示部
２５    …管理室
３０    …集合玄関機
３３    …集合玄関機操作部
３４    …集合玄関機表示部
３５    …集合玄関機警告音発生部
３７    …電気錠
３８    …緊急解錠スイッチ
３９    …集合玄関
４０ａ、４０ｂ、４０ｃ        …居室親機
４７ａ、４７ｂ、４７ｃ        …居室
【図１】
0003926459.tif 000002
【図２】
0003926459.tif 000003